(57)【要約】本発明は、アイドルモードにいる移動局加入者(ＭＳＳ)の利用可能性を検証する方法であって、アイドルモードに進入するためにＭＳＳにより基地局に要請する段階として、基地局が複数の基地局を含むページンググループに係る段階と、アイドルモードに進入するために、基地局からページング識別子、ページングサイクル及びページングサイクルオフセットの少なくとも一つを含むアイドルモード応答コマンドを受信する段階として、アイドルモード応答コマンドがページング識別子、ページングサイクル及びページングサイクルオフセットの少なくとも一つを含む段階とを含む。【選択図】図１
2008503977.tif 000002
【特許請求の範囲】
【請求項１】
アイドルモードにいる移動局加入者(ＭＳＳ)の利用可能性を検証する方法であって、
前記アイドルモードに進入するために前記ＭＳＳにより基地局に要請する段階として、前記基地局が複数の基地局を含むページンググループに係る段階と、
前記アイドルモードに進入するために、前記基地局からページング識別子、ページングサイクル及びページングサイクルオフセットの少なくとも一つを含むアイドルモード応答コマンドを受信する段階と、
前記基地局に対する前記ＭＳＳの利用可能性を検証するために、前記ＭＳＳがアイドルモードにいる間、レンジング遂行に係るアクションコードを含むページングコマンドを前記基地局から受信する段階とを含み、
所定周期の間、前記基地局に対してレンジングが成功的に遂行されないと、前記基地局は、ページングリトライカウントが所定のしきい値に到達するまでページングコマンドを継続的に伝送することを特徴とする、方法。
【請求項２】
前記ページングコマンドは、前記ＭＳＳに対するダウンリンクデータがない時に受信されることを特徴とする、請求項１に記載の方法。
【請求項３】
前記ページングリトライカウントが所定のしきい値に到達するとき、前記ＭＳＳは前記基地局により維持されたアイドルモードリストから除去されることを特徴とする、請求項１に記載の方法。
【請求項４】
前記アイドルモードリストの前記ＭＳＳの除去は、前記ページンググループ内の複数の基地局の各々で遂行されることを特徴とする、請求項３に記載の方法。
【請求項５】
前記所定周期は、ページングサイクルであることを特徴とする、請求項１に記載の方法。
【請求項６】
前記所定周期は、前記基地局から前記ページングコマンドに応答してレンジング要請を伝送するための前記ＭＳＳに対する最大割当て時間に係る時間満了に基づくことを特徴とする、請求項１に記載の方法。
【請求項７】
前記ページングリトライカウントが所定のしきい値に到達するとき、前記ＭＳＳはページング制御機により維持されたアイドルモードリストから除去されることを特徴とする、請求項１に記載の方法。
【請求項８】
前記ページングコマンドは、前記ＭＳＳに対してダウンリンクされるトラフィックデータがある時に受信されることを特徴とする、請求項１に記載の方法。
【請求項９】
アイドルモードにいるＭＳＳの利用可能性を検証する方法であって、
前記ＭＳＳによりアイドルモードに進入するようにページング制御機に要請する段階として、ページング制御機が複数の基地局を含むページンググループに係る段階と、
ページング識別子、ページングサイクル及びページングサイクルオフセットの少なくとも一つを含むアイドルモード応答コマンドを前記ページング制御機から受信してアイドルモードに進入する段階と、
前記ページング制御機に対する前記ＭＳＳの利用可能性を検証するために、前記ＭＳＳがアイドルモードにいる間、レンジング遂行に係るアクションコードを含むページングコマンドを前記ページング制御機から受信する段階とを含み、
所定周期の間、ページング制御機に対してレンジングが成功的に遂行されないと、前記ページング制御機はページングリトライカウントが所定のしきい値に到達するまで前記ページングコマンドを継続的に伝送することを特徴とする、方法。
【請求項１０】
アイドルモードにいるＭＳＳの利用可能性を検証する方法であって、
前記ＭＳＳからアイドルモードに進入するための要請を受信する段階として、前記基地局が複数の基地局と動作可能に連結したページンググループに係る段階と、
ページング識別子、ページングサイクル及びページングサイクルオフセットの少なくとも一つを含むアイドルモード応答コマンドを前記ＭＳＳに伝送して、アイドルモードに進入するための要請に応答してアイドルモードに進入する段階と、
前記基地局に対する前記ＭＳＳの利用可能性を検証するために、前記ＭＳＳがアイドルモードにいる間、レンジング遂行に係るアクションコードを含むページングコマンドを前記ＭＳＳに伝送する段階とを含み、
所定周期の間、基地局に対してレンジングが成功的に遂行されないと、前記基地局はページングリトライカウントが所定のしきい値に到達するまで前記ページングコマンドを継続的に伝送することを特徴とする、方法。
【請求項１１】
前記ページングコマンドは、前記ＭＳＳに対するダウンリンクデータがない時に受信されることを特徴とする、請求項１０に記載の方法。
【請求項１２】
前記ページングリトライカウントが所定のしきい値に到達するとき、前記ＭＳＳは前記基地局により維持されたアイドルモードリストから除去されることを特徴とする、請求項１０に記載の方法。
【請求項１３】
前記アイドルモードリストの前記ＭＳＳの除去は、前記ページンググループ内の複数の基地局の各々で遂行されることを特徴とする、請求項１２に記載の方法。
【請求項１４】
前記所定周期は、ページングサイクルであることを特徴とする、請求項１０に記載の方法。
【請求項１５】
前記所定周期は、前記基地局から前記ページングコマンドに応答してレンジング要請を伝送するための前記ＭＳＳに対する最大割当て時間に係る時間満了に基づくことを特徴とする、請求項１０に記載の方法。
【請求項１６】
前記ページングリトライカウントが所定のしきい値に到達するとき、前記ＭＳＳはページング制御機により維持されたアイドルモードリストから除去されることを特徴とする、請求項１０に記載の方法。
【請求項１７】
前記ページングコマンドは、前記ＭＳＳに対してダウンリンクされるトラフィックデータがある時に受信されることを特徴とする、請求項１０に記載の方法。
【請求項１８】
アイドルモードにいる間、利用可能性を基地局に通知するための移動局加入者(ＭＳＳ)であって、
前記アイドルモードに進入するために前記ＭＳＳにより基地局に要請するための手段として、前記基地局が複数の基地局を含むページンググループに係る基地局に要請するための手段と、
前記アイドルモードに進入するために、前記基地局からページング識別子、ページングサイクル及びページングサイクルオフセットの少なくとも一つを含むアイドルモード応答コマンドを受信するための手段と、
前記基地局に対する前記ＭＳＳの利用可能性を検証するために、前記ＭＳＳがアイドルモードにいる間、レンジング遂行に係るアクションコードを含むページングコマンドを前記基地局から受信するための手段とを含み、
所定周期の間、前記基地局に対してレンジングが成功的に遂行されないと、前記基地局はページングリトライカウントが所定のしきい値に到達するまで前記ページングコマンドを継続的に伝送することを特徴とする、ＭＳＳ。
【請求項１９】
前記ページングコマンドは、前記ＭＳＳに対するダウンリンクデータがない時に受信されることを特徴とする、請求項１８に記載のＭＳＳ。
【請求項２０】
前記ページングリトライカウントが所定のしきい値に到達するとき、前記ＭＳＳは前記基地局により維持されたアイドルモードリストから除去されることを特徴とする、請求項１８に記載のＭＳＳ。
【請求項２１】
前記アイドルモードリストの前記ＭＳＳの除去は、前記ページンググループ内の複数の基地局の各々で遂行されることを特徴とする、請求項１９に記載のＭＳＳ。
【請求項２２】
前記所定周期は、ページングサイクルであることを特徴とする、請求項１８に記載のＭＳＳ。
【請求項２３】
前記所定周期は、前記基地局から前記ページングコマンドに応答してレンジング要請を伝送するための前記ＭＳＳに対する最大割当て時間に係る時間満了に基づくことを特徴とする、請求項１８に記載のＭＳＳ。
【請求項２４】
前記ページングリトライカウントが所定のしきい値に到達するとき、前記ＭＳＳはページング制御機により維持されたアイドルモードリストから除去されることを特徴とする、請求項１８に記載のＭＳＳ。
【請求項２５】
前記ページングコマンドは、前記ＭＳＳに対してダウンリンクされるトラフィックデータがある時に受信されることを特徴とする、請求項１８に記載のＭＳＳ。
【請求項２６】
アイドルモードにいるＭＳＳの利用可能性を検証するための基地局であって、
前記ＭＳＳからアイドルモードに進入するための要請を受信する手段として、前記基地局が複数の基地局と動作可能に連結したページンググループに係る手段と、
ページング識別子、ページングサイクル及びページングサイクルオフセットの少なくとも一つを含むアイドルモード応答コマンドを前記ＭＳＳに伝送して、アイドルモードに進入するための要請に応答してアイドルモードに進入する手段と、
前記基地局に対する前記ＭＳＳの利用可能性を検証するために、前記ＭＳＳがアイドルモードにいる間、レンジング遂行に係るアクションコードを含むページングコマンドを前記ＭＳＳに伝送する手段とを含み、
所定周期の間、基地局に対してレンジングが成功的に遂行されないと、前記基地局はページングリトライカウントが所定のしきい値に到達するまで前記ページングコマンドを継続的に伝送することを特徴とする、基地局。
【請求項２７】
前記ページングコマンドは、前記ＭＳＳに対するダウンリンクデータがない時に受信されることを特徴とする、請求項２６に記載の基地局。
【請求項２８】
前記ページングリトライカウントが所定のしきい値に到達するとき、前記ＭＳＳは前記基地局により維持されたアイドルモードリストから除去されることを特徴とする、請求項２６に記載の基地局。
【請求項２９】
前記アイドルモードリストの前記ＭＳＳの除去は、前記ページンググループ内の複数の基地局の各々で遂行されることを特徴とする、請求項２８に記載の基地局。
【請求項３０】
前記所定周期は、ページングサイクルであることを特徴とする、請求項２６に記載の基地局。
【請求項３１】
前記所定周期は、前記基地局から前記ページングコマンドに応答して、レンジング要請を伝送するための前記ＭＳＳに対する最大割当て時間に係る時間満了に基づくことを特徴とする、請求項２６に記載の基地局。
【請求項３２】
前記ページングリトライカウントが所定のしきい値に到達するとき、前記ＭＳＳはページング制御機により維持されたアイドルモードリストから除去されることを特徴とする、請求項２６に記載の基地局。
【請求項３３】
前記ページングコマンドは、前記ＭＳＳに対してダウンリンクされるトラフィックデータがある時に受信されることを特徴とする、請求項２６に記載の基地局。
【請求項３４】
アイドルモードにいる間、無線移動通信システムにおいてデータを通信する方法であって、
移動局加入者(ＭＳＳ)を電力ダウンする一部分として、前記ＭＳＳのロケーション更新を遂行するための要請を、レンジング要請メッセージを介してネットワークエンティティに伝送する段階と、
前記ネットワークエンティティにより前記ＭＳＳのロケーション更新を遂行する段階として、前記電力ダウン時、前記ＭＳＳに対するアイドルモードページング制御を中止する段階と、
前記ＭＳＳの電力ダウンロケーション更新が成功的である場合、前記ＭＳＳに関する全てのアイドルモード関連情報を配布する段階とを含むことを特徴とする、方法。
【請求項３５】
前記レンジング要請メッセージは、電力ダウン指示者を含むことを特徴とする、請求項３４に記載の方法。
【請求項３６】
前記ネットワークエンティティは、ページング制御機又は基地局であることを特徴とする、請求項３４に記載の方法。
【請求項３７】
前記ＭＳＳの状態を更新し、前記ＭＳＳのロケーション更新時、前記ＭＳＳに関する全ての情報を削除する段階をさらに含むことを特徴とする、請求項３４に記載の方法。
【請求項３８】
前記ＭＳＳの電力ダウンロケーション更新が成功的でない場合、ロケーション更新ポーリングを用いて利用可能性をチェックする段階をさらに含むことを特徴とする、請求項３４に記載の方法。
【請求項３９】
前記ＭＳＳがページングリトライカウントをポーリングする前記ロケーション更新に対して応答できないと、ネットワークエンティティにより全てのアイドルモード関連情報を削除し、前記ＭＳＳの非利用可能性を決定する段階をさらに含むことを特徴とする、請求項３８に記載の方法。
【請求項４０】
電力ダウン手段により電力を遮断することを特徴とする、請求項３４に記載の方法。
【請求項４１】
アイドルモードにいる間、無線移動通信システムにおいてデータを通信する方法であって、
移動局加入者(ＭＳＳ)を電力ダウンする一部分として、前記ＭＳＳのロケーション更新を遂行するための要請を、レンジング要請メッセージを介してネットワークエンティティに伝送する段階と、
前記ネットワークエンティティにより前記ＭＳＳのロケーション更新を遂行する段階とを含み、
前記ロケーション更新を遂行する段階は、前記ＭＳＳに関する全てのアイドルモード関連情報を配布する段階を含むことを特徴とする、方法。
【請求項４２】
前記ＭＳＳのロケーション更新を遂行するとき、電力ダウン時、前記ＭＳＳに対するアイドルモードページング制御を中止する段階をさらに含むことを特徴とする、請求項４１に記載の方法。
【請求項４３】
アイドルモードにいる間、無線移動通信システムにおいてデータを通信する方法であって、
移動局加入者(ＭＳＳ)を電力ダウンする一部分として、前記ＭＳＳのロケーション更新を遂行するための要請を、レンジング要請メッセージを介してネットワークエンティティに伝送する段階と、
前記ネットワークエンティティにより前記ＭＳＳのロケーション更新を遂行する段階とを含み、
前記ロケーション更新を遂行する段階は、前記ＭＳＳの電力ダウンロケーション更新が成功的である場合、前記ＭＳＳに関する全てのアイドルモード関連情報を配布する段階を含み、前記ＭＳＳの電力ダウンロケーション更新が成功的でない場合、ロケーション更新ポーリングを用いて利用可能性をチェックする段階を含むことを特徴とする、方法。
【請求項４４】
前記ＭＳＳがページングリトライカウントをポーリングする前記ロケーション更新に対して応答できないと、前記ネットワークエンティティにより全てのアイドルモード関連情報を削除し、前記ＭＳＳの非利用可能性を決定する段階をさらに含むことを特徴とする、請求項４３に記載の方法。
【請求項４５】
前記ＭＳＳのロケーション更新を遂行するとき、電力ダウン時、前記ＭＳＳに対するアイドルモードページング制御を中止する段階をさらに含むことを特徴とする、請求項４３に記載の方法。
【発明の詳細な説明】
【技術分野】
【０００１】
本発明は、無線アクセスシステムに関し、特に、無線アクセスシステムにおけるアイドルモード移動局加入者の利用可能性を検証することに関する。
【背景技術】
【０００２】
通常、広帯域無線アクセスシステムは、移動局加入者(ＭＳＳ：mobile subscriber station)の電力消費を最小化するためにアイドルモードを支援する。アイドルモードの間、ＭＳＳは、同じページングゾーンで基地局間を移動する時にハンドオーバーを遂行することができない。よって、ＭＳＳは、ハンドオーバーを遂行するためのアップリンク情報の伝送が不要であるため、対応する電力消費を減少させる。
【０００３】
ページングゾーンは、ページンググループと呼ばれる複数の基地局により制御されるゾーンを言う。ページンググループ内のそれぞれの基地局は、同じページングサイクル(Ｐａｇｉｎｇ＿Ｃｙｃｌｅ)及び同じページングオフセット(Ｐａｇｉｎｇ＿Ｏｆｆｓｅｔ)を持つ。
【０００４】
ＭＳＳは、基地局にアイドルモードからスイッチングすることを要請できる。基地局は、ページンググループＩＤ、ページングサイクル及びページングオフセットを含むページングメッセージを提供する。したがって、対応するＭＳＳはアイドルモードにスイッチングされ得る。アイドルモードの間、ＭＳＳは、それぞれのページングサイクルで基地局により提供されたページングメッセージに基づいてアイドルモードを継続するか終了するかを判定する。
【０００５】
トラフィックがアイドルモードにある間、ＭＳＳにより伝送される必要がある場合、ＭＳＳはアイドルモードを終了する。例えば、ＭＳＳは、ＢＳによりアイドルモードを終了することができる。さらに、ＭＳＳがアイドルモードにいる間、他のページングゾーンへ移動したりそのシンクを喪失したりして、所定時間内にページングを受信できない場合、ＭＳＳはアイドルモードを終了する。
【０００６】
ＭＳＳがアイドルモードにいる間、ＭＳＳは、通常的に周期的なページングを受信して、受信又は伝送するトラフィックがない限り、ハンドオーバーを遂行することなく、同じページングゾーンで自由な移動を保障する。
【０００７】
アイドルモードに進入するＭＳＳの手順については後述する。ＭＳＳは、アイドルモード要請メッセージをサービングＢＳに伝達してアイドルモードに進入する。サービングＢＳは、ページンググループＩＤ、ページングサイクル及びページングオフセットを、アイドルモード応答メッセージを介してＭＳＳに提供する。また、サービングＢＳは、連結情報とともに、ＭＳＳに割り当てられた無線リソースをＭＳＳにリリース(release)する。さらに、サービングＢＳは、アイドルモードに進入するＭＳＳのＭＡＣアドレスをページンググループのＢＳに提供して、それぞれのＢＳが同じページングサイクルにより対応するＭＳＳをページングするようにする。
【０００８】
ＭＳＳは、ページングサイクルによってＢＳから伝達された放送フォーマットのページングメッセージを評価することで、ＭＳＳに伝達される必要があるダウンリンクトラフィックが存在するか否かを判定した後、アイドルモード応答メッセージを介してアイドルモードに進入することが許容される。このような判定は、レンジング(ranging)を遂行するか、アイドルモードを維持するかにより行われる。
【０００９】
図１は、基地局(ＢＳ)からアイドルモードＭＳＳにより受信されたページングメッセージのフォーマットを示す図である。
【００１０】
図１によれば、ページングメッセージがＭＳＳに対するダウンリンクトラフィックが存在すると示した場合、ＭＳＳは、アイドルモードを終了し、ダウンリンクトラフィックを受信するためにネットワークを再登録する。ＭＳＳは、ページングメッセージを介してレンジングを遂行するように要請した場合、レンジングを遂行することで、ＢＳがＭＳＳのロケーション及びアイドルモードＭＳＳリストを更新することを許容する。ページングメッセージがＭＳＳにアクションなしを示した場合、ＭＳＳはアイドルモードを維持する。
【００１１】
その後、アップリンク又はダウンリンクトラフィックが通信される必要がある場合、或いは、ページンググループがＭＳＳアイドルモードを終了するために他のＢＳにハンドオーバーされる場合、ＢＳは、同じページンググループに属する他のＢＳに、他のＢＳがアイドルモードＭＳＳリストから対応するＭＳＳを除去するように通知する。
【００１２】
ＭＳＳがアイドルモードにいる間、ＭＳＳは、通常的にアップリンクトラフィックを持っていない。したがって、ＭＳＳの連続的な利用可能性を提供するために、ＢＳは、ページングメッセージをＭＳＳに伝達して、対応するＭＳＳがレンジングを遂行できるようにする。ＢＳは、ＭＳＳからレンジング要請を介してアップリンク情報を受信した後のみに、ＭＳＳの利用可能性を検証する。
【００１３】
しかしながら、ＭＳＳの電源が切ってあるとき、或いは、ＭＳＳが不良なチャンネル環境にいるとき、ＭＳＳは、ＢＳが伝達のためのページングメッセージ(例えば、アクションコードは“０ｘ０１(レンジング遂行)”又は“０ｘ０２(ネットワーク進入)”である)を設定しても、ページングメッセージを受信することができない。このとき、ＢＳはＭＳＳからレンジング要請メッセージを受信することができない。したがって、ＭＳＳが通常的に動作されない場合、ＢＳは、ＭＳＳがこれ以上利用可能でないと決定する。さらに、ＢＳは、対応するＭＳＳに対する全ての管理リソース(例えば、ページング用ＭＡＣアドレス等)を配布する必要があり、同じページンググループの他のＢＳがアイドルモードＭＳＳリストから対応するＭＳＳを除去する。
【発明の開示】
【発明が解決しようとする課題】
【００１４】
よって、本発明は、一つ以上の従来技術の問題点を実質的に解消する、無線アクセスシステムにおけるアイドルモードＭＳＳの利用可能性を検証することを指向する。
【００１５】
本発明の目的は、ＭＳＳに伝達されたページングメッセージを用いて、ＢＳにより利用可能なアイドルモードＭＳＳのリスト更新方法を提供することにある。
【００１６】
本発明の利点、目的及び特徴は、次の発明の詳細な説明において部分的に開示される。本発明の他の目的及び利点は、添付された特許請求の範囲と、図面に基づいて後述する本発明の好適な実施形態とにより自明に理解されるべきである。
【課題を解決するための手段】
【００１７】
前記目的及び利点を達成するために、本発明の一実施形態において、アイドルモードであるＭＳＳの利用可能性を検証する方法は、アイドルモードに進入するためにＭＳＳによる基地局に要請する段階として、基地局が複数の基地局を含むページンググループに係る段階と、アイドルモードに進入するために基地局からアイドルモード応答コマンドを受信する段階とを含み、アイドルモード応答コマンドは、ページング識別子、ページングサイクル及びページングサイクルオフセットの少なくとも一つを含む。また、この方法は、基地局に対するＭＳＳの利用可能性を検証するために、ＭＳＳがアイドルモードにいる間、レンジング遂行に係るアクションコードを含むページングコマンドを基地局から受信する段階をさらに含み、所定周期の間、基地局に対してレンジングが成功的に遂行されないと、基地局はページングリトライカウントが所定のしきい値に到達するまでページングコマンドを継続的に伝送する。
【００１８】
ページングコマンドは、ダウンリンクデータがない時に受信されるのが好ましい。ページングリトライカウントが所定のしきい値に到達するとき、ＭＳＳは基地局により維持されるアイドルモードから除去される。アイドルモードリストのＭＳＳの除去は、ページンググループから複数の基地局の各々で遂行される。
【００１９】
所定周期は、ページングサイクルであり得る。代りに、所定周期は、基地局からページングコマンドに応答してレンジング要請を伝送するためにＭＳＳに対する最大割当て時間に係る時間満了に基づく。
【００２０】
ページングリトライカウントが所定のしきい値に到達するとき、ＭＳＳはページング制御機により維持されるアイドルモードから除去される。ページングコマンドは、ＭＳＳにダウンリンクされるトラフィックデータがある時に受信される。
【００２１】
他の実施形態において、アイドルモードにいるＭＳＳの利用可能性を検証する方法は、ＭＳＳによりアイドルモードに進入するようにページング制御機に要請する段階として、ページング制御機が複数の基地局を含むページンググループに係る段階と、ページング識別子、ページングサイクル及びページングサイクルオフセットの少なくとも一つを含むアイドルモード応答コマンドをページング制御機から受信してアイドルモードに進入する段階とを含む。この方法は、ページング制御機に対するＭＳＳの利用可能性を検証するために、ＭＳＳがアイドルモードにいる間、レンジング遂行に係るアクションコードを含むページングコマンドをページング制御機から受信する段階をさらに含み、所定周期の間、ページング制御機に対してレンジングが成功的に遂行されないと、ページング制御機はページングリトライカウントが所定のしきい値に到達するまでページングコマンドを継続的に伝送する。
【００２２】
また他の実施形態において、アイドルモードにいるＭＳＳの利用可能性を検証する方法は、ＭＳＳからアイドルモードに進入するとの要請を受信する段階として、基地局が複数の基地局と動作可能に連結したページンググループに係る段階と、ページング識別子、ページングサイクル及びページングサイクルオフセットの少なくとも一つを含むアイドルモード応答コマンドをＭＳＳに伝送して、アイドルモードに進入するための要請に応答してアイドルモードに進入する段階とを含む。この方法は、基地局に対するＭＳＳの利用可能性を検証するために、ＭＳＳがアイドルモードにいる間、レンジング遂行に係るアクションコードを含むページングコマンドをＭＳＳに伝送する段階をさらに含み、所定周期の間、基地局に対してレンジングが成功的に遂行されないと、基地局はページングリトライカウントが所定のしきい値に到達するまでページングコマンドを継続的に伝送する。
【００２３】
前述した説明及び後述する本発明の詳細な説明は、例示のためのものだけで、本発明の請求要旨を追加的に説明するためのものに留意すべきである。
【００２４】
本発明の追加的な利点、特性及び好適な実施形態は、添付された特許請求の範囲と、図面に基づいて以下に説明される本発明の好適な実施形態とから自明に理解されるべきである。
【発明の効果】
【００２５】
本発明によれば、他の基地局のカバレッジ領域で電力ダウンを要請するのに制限がない。カバレッジ領域を逸脱することなく、或いは、カバレッジ領域に復帰することなく、アイドルモードを許容した基地局で電力ダウンすることができる。ＭＳＳによる電力ダウンの通知は、ＢＳのカバレッジ領域に効率的なリソース管理を提供する。ＭＳＳの状態をＢＳが決定することなく、ＭＳＳがＢＳに電力ダウンの意図を通知することにより、ＢＳはＭＳＳ及びＢＳに係るリソースを効率良く管理することができる。
【発明を実施するための最良の形態】
【００２６】
以下、添付図面に基づき、本発明の例示的な実施形態を詳細に説明する。また、図において、同一または類似な構成要素については同じ符号を付けて使用する。
【００２７】
一実施形態において、本発明は、広帯域無線アクセスシステムで具現される。他の実施形態において、本発明は、非広帯域標準によって動作する無線通信システムで具現される。
【００２８】
他の実施形態において、ＭＳＳがアイドルモードにいるとき、全てのページングサイクルでサービング基地局(サービングＢＳ)から遂行レンジングコマンドをチェックする。換言すれば、サービングＢＳはＭＳＳが“生きているか否か”をチェックするためにＭＳＳに遂行レンジングコマンドを周期的に伝送する。遂行レンジングコマンドが存在すると、ＭＳＳはレンジング要請をサービングＢＳに伝送する。サービングＢＳがＭＳＳからレンジング要請を受信しなかった場合、サービングＢＳはページングリトライしきい値が満足されるまで遂行レンジングコマンドを繰返伝送する。ページングリトライしきい値が満足されると、サービングＢＳはアイドルモードＭＳＳリストからＭＳＳを除去する。
【００２９】
また他の実施形態において、ＭＳＳはアイドルモードに進入し、サービングＢＳはページングリトライカウント及びアップリンク情報受信待機時間(レンジング要請メッセージ受信待機時間)を含む多様なパラメーターを用いてＭＳＳの利用可能性を検証できる。移動局加入者は、アイドルモードにいるか否かに関係なしにＭＳＳと言及される。
【００３０】
ＭＳＳの利用可能性は、ページングリトライカウント及びアップリンク情報受信待機時間を用いて検証される。また、ＭＳＳの利用可能性は、ページングリトライカウントだけを用いて検証されることができる。さらに、ＭＳＳの利用可能性は、アップリンク情報受信待機時間だけを用いて検証されることもできる。アップリンク情報受信待機時間は、ページングサイクルと同一に設定されるのが好ましい。また、アップリンク受信待機時間はタイマーにより決定されることができる。
【００３１】
ＭＳＳは、サービングＢＳから周期的に伝達されたページングメッセージの同期化を喪失する場合もあり得るため、ＭＳＳがサービングＢＳからページングメッセージを受信することができなくなる。ＭＳＳがサービングＢＳからページングメッセージを受信することができない場合、ＭＳＳはネットワークに再登録を遂行する。一方、サービングＢＳがＭＳＳからアップリンク情報を受信することができない場合、ＭＳＳにページングメッセージを介してアップリンク情報を伝送することを要請しても、サービングＢＳはＭＳＳが利用可能でないと決定することができる。
【００３２】
ページングメッセージは、レンジング要請をＭＳＳからサービングＢＳに伝達するように設定される。ＭＳＳは、レンジング要請を競合−基盤アップリンクレンジングチャンネル(competition-based uplink ranging channel)を介してサービングＢＳに伝達する。サービングＢＳがＭＳＳからレンジング遂行を要請するが、レンジング要請メッセージ受信待機時間の特定持続時間の間、ＭＳＳからレンジング要請メッセージを受信することができない場合、サービングＢＳはレンシングが失敗したと決定する。
【００３３】
図２は、本発明の一実施形態による無線アクセスシステムにおけるページングサイクルに基づいてＭＳＳの利用可能性の検証を示す図である。
【００３４】
図２によれば、ＭＳＳ(２１０)は、登録配布要請(ＤＲＥＧ−ＲＥＱ)メッセージをサービングＢＳ(２２０)に伝達することによりアイドルモードに進入する。サービングＢＳ(２２０)は、ページンググループＩＤ(ＰＧ−ＩＤ)、ページングサイクル(ＰＧ−ＣＹＴ)及びページングオフセット(ＰＧ−ＯＦＦＳＥＴ)を伝達することによりＤＲＥＧ−ＲＥＱメッセージに応答する。サービングＢＳ(２２０)は、ＭＳＳ(２１０)に連結情報を配布し、ＭＳＳ(２１０)に割り当てられた無線リソースを配布する。
【００３５】
サービングＢＳ(２２０)は、アイドルモードに進入するＭＳＳ(２１０)のＭＡＣアドレスをサービングＢＳ(２２０)のページンググループのＢＳに提供し、それぞれのＢＳが同じページングサイクルだけＭＳＳ(２１０)をページングできるようにする。例えば、それぞれのＢＳは、ページングメッセージ(ＭＯＢ−ＰＡＧ−ＡＤＶ)を伝送して、ＭＳＳ(２１０)がレンジングを要請するように指示する。
【００３６】
ＭＳＳ(２１０)は、登録配布コマンド(ＤＲＥＧ−ＰＡＧ−ＡＤＶ)を介してアイドルモードに進入することが許容され、ダウンリンクトラフィックがページングサイクルによってサービングＢＳ(２２０)から誘導された放送−フォーマットされたページングメッセージを介してＭＳＳ(２１０)に伝達されるか否かを判定する。また、ＭＳＳ(２１０)は、レンジングを遂行するか否か及び／又はアイドルモードを維持するか否かを判定する。図２において、ＭＳＳ(２１０)の利用可能性を検証するとき、ページングサイクル及びページングリトライカウントが活用される。
【００３７】
ページングメッセージ(ＭＯＢ−ＰＡＧ−ＡＤＶ)(アクションコード＝レンジング遂行又はネットワーク進入)をＭＳＳ(２１０)に伝送した後、サービングＢＳ(２２０)は、レンジング要請メッセージがＭＳＳ(２１０)から受信されるまでページングサイクルを待機する。サービングＢＳ(２２０)が次のページングメッセージを伝達する時間の以前、すなわち、ページングサイクルの満了後、ＭＳＳ(２１０)からアップリンク情報を受信しないと、サービングＢＳ(２２０)はレンジングを失敗したと判定する。このとき、ＭＳＳ(２１０)の利用可能性は、アップリンク情報受信待機時間を用いて検証される。サービングＢＳ(２２０)は、ＭＳＳ(２１０)が利用可能でなく、アイドルモードＭＳＳリストからＭＳＳ(２１０)を除去すると決定する。代りに、複数のＢＳに連結しているページング制御機は、ＭＳＳ(２１０)が利用可能でなく、アイドルモードＭＳＳリストからＭＳＳ(２１０)を除去すると決定する。
【００３８】
ページングリトライカウントは、ＭＳＳ(２１０)からレンジング要請を受信できないとき、サービングＢＳ(２２０)により行なわれたリトライカウントを示す。サービングＢＳ(２２０)は、所定のページングリトライカウントを含むページングメッセージ(ＭＯＢ−ＰＡＧ−ＡＤＶ)(アクションコード＝レンジング遂行又はネットワーク進入)をＭＳＳ(２１０)に伝達する。サービングＢＳ(２２０)がページングメッセージを伝達したが、ＭＳＳ(２１０)からレンジング要請を受信できない場合、サービングＢＳ(２２０)は、ＭＳＳ(２１０)が利用可能でなく、アイドルモードＭＳＳリストからＭＳＳ(２１０)を除去すると決定する。したがって、ＭＳＳ(２１０)の利用可能性は、ページングサイクル及びページングリトライカウントのような２つのパラメーターを用いて検証される。
【００３９】
サービングＢＳ(２２０)がＭＳＳ(２１０)からレンジング要請を受信すると、サービングＢＳ(２２０)(又はページング制御機)は、アイドルモードＭＳＳリストを介してＭＳＳ(２１０)の利用可能性を更新し、同じページンググループに属するＢＳに、同じページンググループに属するＢＳがバックボーンメッセージを介してアイドルモードリストを更新できることを通知する。
【００４０】
一方、サービングＢＳ(２２０)がページングサイクル及びページングリトライの設定を介して所定時間内でＭＳＳ(２１０)からレンジング要請を受信しないと、サービングＢＳは、利用可能なアイドルモードＭＳＳリストからＭＳＳ(２１０)を除去し、ＭＳＳ(２１０)に係る情報及び管理リソースを配布する。また、サービングＢＳ(２２０)は、バックボーンメッセージを用いて同じページンググループに属するＢＳに、これらのアイドルモードＭＳＳリストからＭＳＳ(２１０)を除去することを通知する。
【００４１】
図３は、本発明の一実施形態による無線アクセスシステムにおけるタイマーを用いたＭＳＳの利用可能性の検証を示す図である。
【００４２】
図３によれば、ＭＳＳ(２１０)の利用可能性は、タイマー及びページングリトライカウントを用いて検証される。
【００４３】
ページングメッセージ(ＭＯＢ−ＰＡＧ−ＡＤＶ)(アクションコード＝レンジング遂行又はネットワーク進入)を伝送した後、サービングＢＳ(２２０)は、レンジング要請メッセージがＭＳＳ(２１０)から受信されるまでタイマーの動作時間を待機する。サービングＢＳ(２２０)が次のページングメッセージを伝達する時間の以前(タイマの満了に基づく)、ＭＳＳ(２１０)からアップリンク情報を受信しない場合、サービングＢＳ(２２０)はレンジングが失敗したと決定する。アップリンク待機時間だけを介してＭＳＳ(２１０)の利用可能性を検証するとき、サービングＢＳ(２２０)は、ＭＳＳ(２１０)が利用可能でなく、アイドルモードＭＳＳリストからＭＳＳ(２１０)が除去されたと決定する。
【００４４】
サービングＢＳ(２２０)は、所定のページングリトライカウントを含むページングメッセージ(ＭＯＢ−ＰＡＧ−ＡＤＶ)(アクションコード＝レンジング遂行又はネットワーク進入)をＭＳＳ(２１０)に伝達する。サービングＢＳ(２２０)がページングメッセージを伝達しても、ＭＳＳ(２１０)からレンジング要請を受信できない場合、サービングＢＳ(２２０)は、ＭＳＳ(２１０)が利用可能でなく、アイドルモードＭＳＳリストからＭＳＳ(２１０)を除去すると決定する。
【００４５】
ＭＳＳ(２１０)の利用可能性は、２つのパラメーター、ページングサイクル及びページングリトライカウントを介して検証される。ＭＳＳ(２１０)の利用可能性は、それぞれのパラメーターの設定によって決定される。
【００４６】
一実施形態において、タイマーの動作サイクルがページングサイクルよりも低いと、サービングＢＳ(２２０)は、ページングリトライカウントを介してＭＳＳ(２１０)の利用可能性を決定する。ページングリトライカウントを介してＭＳＳ(２１０)の利用可能性を更新するとき、タイマーを利用する必要はない。例えば、サービングＢＳ(２２０)が次のページング時間開始前(ページングメッセージ(ＭＯＢ−ＰＡＧ−ＡＤＶ)の伝達後)、ＭＳＳ(２１０)からアップリンク情報を受信できない場合、サービングＢＳ(２２０)は、レンジング失敗によりレンジングリトライを遂行すると決定する。他の実施形態において、ページングリトライカウントが０に設定されるとき、仮に、ページングメッセージによりＭＳＳ(２１０)が初期レンジングを要請するようにした後、タイマーが満了された場合、サービングＢＳ(２２０)はＭＳＳ(２１０)が利用可能でないと決定する。
【００４７】
また他の実施形態において、ＭＳＳ(２１０)のレンジング要請は、競合−基盤レンジングチャンネルを介して遂行される。すなわち、ページングコマンドはページングサイクルに基づく。レンジングリトライはタイマーの満了に基づく。タイマー満了はレンジング要請を伝送するためのＭＳＳ(２１０)に対する最大割り当て時間に基づく。本実施形態において、初期レンジングと類似している手順が使用されることもできる。ＭＳＳ(２１０)は、レンジング要請メッセージをサービングＢＳ(２２０)に伝達した後、レンジング応答メッセージを最大２００ｍｓ間待機する。サービングＢＳ(２２０)からレンジング応答メッセージを受信した後、ＭＳＳ(２１０)は次のレンジングメッセージを伝達するために最大２秒間待機する。最大２秒の待機時間はレンジング応答メッセージを受信していない理由により、次のレンジング要請メッセージを再伝送するのに適用されることができる。さらに他の実施形態において、ＭＳＳ(２１０)のレンジング要請リトライカウントは少なくとも１６である。したがって、２待機時間及びレンジング要請リトライを活用することにより、サービングＢＳ(２２０)のレンジング要請待機時間はタイマーによって決定される。さらに他の実施形態において、対応する待機時間は少なくとも３３秒である。
【００４８】
もう一つの実施形態において、サービングＢＳ(２２０)がページングメッセージ(ＭＯＢ−ＰＡＧ−ＡＤＶ)を介してＭＳＳ(２１０)にレンジング用アップリンクチャンネルを以前に割り当てるとき、ページンググループに属する全てのＢＳが延長された持続時間の間、ＭＳＳ(２１０)にアップリンクレンジングチャンネルを割り当てる必要はない。したがって、本実施形態において、タイマーを介したＭＳＳ(２１０)の利用可能性の検証は義務的である。義務的な利用可能性検証の場合、タイマーはフレーム単位に設定される。設定されたフレーム単位内でＭＳＳ(２１０)からレンジング要請がないと、サービングＢＳ(２２０)は、ＭＳＳ(２１０)に割り当てられたアップリンクチャンネルを配布し、アイドルモードＭＳＳリストからＭＳＳ(２１０)を除去する。
【００４９】
一実施形態において、サービングＢＳ(２２０)は、ＭＳＳ(２１０)からレンジング要請を受信すると、アイドルモードＭＳＳリストを介してＭＳＳ(２１０)の利用可能性を更新し、同じページンググループに属する他のＢＳがこれらのアイドルモードＭＳＳリストを更新できるようにバックボーンメッセージを伝送する。
【００５０】
他の実施形態において、サービングＢＳ(２２０)は、タイマーを介して予め定義された時間及びページングリトライ設定内において、ＭＳＳ(２１０)からレンジング要請を受信できないと、アイドルモードＭＳＳリストからＭＳＳ(２１０)を除去し、ＭＳＳ(２１０)に係る管理リソース及び情報を配布する。サービングＢＳ(２２０)は、バックボーンメッセージを用いて、同じページンググループに属するＢＳに、ＭＳＳ(２１０)がこれらのアイドルモードＭＳＳリストから除去されることを通知する。
【００５１】
一実施形態において、アイドルモードにいるＭＳＳの利用可能性を検証する方法は、アイドルモードに進入するためにＭＳＳが基地局に要請する段階として、基地局が複数の基地局を含むページンググループに係る段階と、アイドルモードに進入するために基地局からページング識別子、ページングサイクル及びページングサイクルオフセットの少なくとも一つを含むアイドルモード応答コマンドを受信する段階とを含む。また、この方法は、基地局に対するＭＳＳの利用可能性を検証するために、ＭＳＳがアイドルモードにいる間、レンジング遂行に係るアクションコードを含むページングコマンドを基地局から受信する段階をさらに含み、所定周期の間、基地局に対してレンジングが成功的に遂行されないと、基地局はページングリトライカウントが所定のしきい値に到達するまでページングコマンドを継続的に伝送する。
【００５２】
ページングコマンドは、ダウンリンクデータがない時に受信されるのが好ましい。ページングリトライカウントが所定のしきい値に到達するとき、ＭＳＳは基地局により維持されるアイドルモードから除去される。アイドルモードリストのＭＳＳの除去は、ページンググループから複数の基地局の各々で遂行される。
【００５３】
所定周期は、ページングサイクルであリ得る。代りに、所定周期は、基地局からページングコマンドに応答してレンジング要請を伝送するためにＭＳＳに対する最大割当て時間に係る時間満了に基づく。
【００５４】
ページングリトライカウントが所定のしきい値に到達するとき、ＭＳＳは、ページング制御機により維持されたアイドルモードリストから除去される。ページングコマンドは、ＭＳＳにダウンリンクされるトラフィックデータがある時に受信されるのが好ましい。
【００５５】
他の実施形態において、アイドルモードにいるＭＳＳの利用可能性を検証する方法は、ＭＳＳによりアイドルモードに進入するようにページング制御機に要請する段階として、ページング制御機が複数の基地局を含むページンググループに係る段階と、ページング識別子、ページングサイクル及びページングサイクルオフセットの少なくとも一つを含むアイドルモード応答コマンドをページング制御機から受信してアイドルモードに進入する段階とを含む。この方法は、ページング制御機に対するＭＳＳの利用可能性を検証するために、ＭＳＳがアイドルモードにいる間、レンジング遂行に係るアクションコードを含むページングコマンドをページング制御機から受信する段階をさらに含み、レンジングが所定周期の間、ページング制御機に対して成功的に遂行されないと、ページング制御機はページングリトライカウントが所定のしきい値に到達するまでページングコマンドを継続的に伝送する。
【００５６】
また他の実施形態において、アイドルモードにいるＭＳＳの利用可能性を検証する方法は、ＭＳＳからアイドルモードに進入するための要請を受信する段階として、基地局が複数の基地局と動作可能に連結したページンググループに係る段階と、ページング識別子、ページングサイクル及びページングサイクルオフセットの少なくとも一つを含むアイドルモード応答コマンドをＭＳＳに伝送してアイドルモードに進入するための要請に応答してアイドルモードに進入する段階とを含む。この方法は、基地局に対するＭＳＳの利用可能性を検証するために、ＭＳＳがアイドルモードにいる間、レンジング遂行に係るアクションコードを含むページングコマンドをＭＳＳに伝送する段階をさらに含み、レンジングが所定周期の間、基地局に対して成功的に遂行されないと、基地局はページングリトライカウントが所定のしきい値に到達するまでページングコマンドを継続的に伝送する。
【００５７】
これにより、本発明は、サービングＢＳがＭＳＳの利用可能性をチェックする。ＭＳＳの利用可能性をチェックすることにより、サービングＢＳは、ＭＳＳが周期的なページングメッセージを受信できないことを防止し、この場合、ＭＳＳの電力はターンオフされ、チャンネル状態は劣化される。
【００５８】
サービングＢＳは、ＭＳＳに係る利用可能性の更新情報をバックボーンメッセージを介して同じページンググループに属する他のＢＳに伝達することで、同じページンググループに属するＢＳがページングメッセージを利用可能でないＭＳＳに伝達することを防止する。
【００５９】
さらに、アップリンクチャンネルがＭＳＳに保有又は割り当てられるとき、サービングＢＳはＭＳＳに割り当てられたアップリンクチャンネル及びＭＳＳに係る管理リソースを配布する。よって、ＭＳＳの電力消費は最小化され、アイドルモードＭＳＳリストは効率良く更新される。
【００６０】
本発明の他の実施形態において、ＭＳＳは、アイドルモードの間、電力ダウン(電力ターンオフ)を選択できる。基地局に電力ダウンに対する決定を通知することにより、ネットワーク(ＭＳＳがアイドルモードに進入することを許容する最終基地局又はページング制御機)により保有されたＭＳＳに関する対応情報は消去され得る。
【００６１】
本発明の実施形態において、レンジング要請メッセージ及びレンジング応答メッセージは、ＭＳＳにより電力遮断を達成するのに使用される。動作時、ＭＳＳがアイドルモードにいる間、電力ダウンをトライすると、電力ダウンに対する要請はレンジング要請メッセージを介してネットワーク(ＭＳＳがアイドルモードに進入することを許容する最終基地局又はページング制御機)に伝送される。続いて、レンジング要請メッセージを介して電力ダウン要請を受信するネットワークは、レンジング応答メッセージを介して多様な情報をＭＳＳに伝送する。
【００６２】
図４は、本発明の一実施形態によるアイドルモードにおけるＭＳＳのシグナルリング動作を示す図である。図４によれば、ＭＳＳは、登録解除要請(ＤＲＥＧ−ＲＥＱ)メッセージを介してアイドルモードに進入することを要請する要請メッセージを、第１のネットワークエンティティに伝送する(Ｓ１０)。第１のネットワークエンティティは、基地局又はページング制御機であり得る。要請メッセージには、第１のネットワークエンティティがネットワークに対して以後の再進入のためにＭＳＳが所望するＭＳＳ選好セッション情報を含む。このようなＭＳＳ選好セッション情報は、検証情報、ＩＰアドレス情報、ＭＳＳ能力、管理連結識別及びネットワークサービスを維持するのに必須な情報のような情報を含む。
【００６３】
要請メッセージを受信した後、第１のネットワークエンティティは、ページンググループで同じページング識別を持つ少なくとも一つ又は全ての他のネットワークエンティティにバックボーンチャンネルを介して通知を放送し、対応するＭＳＳがページンググループ内のそれぞれのネットワークエンティティに付加される(Ｓ２０)。
【００６４】
要請メッセージに応答して、第１のネットワークエンティティは、登録解除応答コマンド(ＤＲＥＧ−ＣＭＤ)を介して選択されたセッション情報を対応するＭＳＳに伝送する(Ｓ３０)。選択されたセッション情報は、アイドルモードから以後のＭＳＳネットワーク再進入を促進するのに有用な任意のＭＳＳサービス及び動作情報を含む。選択されたセッション情報は、ＭＳＳにより要請された所望するセッション情報と同一であったり、異なったりこれらの組合であり得る。さらに、ＤＲＥＧ−ＣＭＤの伝送時、ページングサイクル、ページングオフセット及びページング識別のような他の情報が含まれることができる。ＤＲＥＧ−ＣＭＤは、ＭＳＳにより要請されたアイドルモードに進入することを許容するコマンド又はメッセージである。
【００６５】
第２のネットワークエンティティからＤＲＥＧ−ＣＭＤの受信時、ＭＳＳはアイドルモードに進入する。アイドルモードの間、ＭＳＳは、第１のネットワークエンティティから特定時間スロット又は間隔をおいてページングメッセージを受信することができる(Ｓ４０)。ページングメッセージは、任意のダウンリンクトラフィックが存在するか、或いは、いつアイドルモードが終了するかのような各種情報を含む。
【００６６】
ＭＳＳが同じページング識別を持つ同じページンググループ内の第２のネットワークエンティティに移動する場合(Ｓ５０)、ＭＳＳは、同じページングサイクルで第２のネットワークエンティティからページングメッセージと、第１のネットワークエンティティから受信されたページングオフセットとを受信する(Ｓ６０)。
【００６７】
こうした周期(アイドルモード)の間、ＭＳＳは、電力デプレッションされたり、或いは、簡単に電力ダウンを選択できる。対応するＭＳＳは、レンジング要請メッセージを介して電力オフ／ダウンを示すメッセージ(例えば、電力ダウン指示者)を第２のネットワークエンティティに伝送する(Ｓ７０)。以後、第２のネットワークエンティティは、第１のネットワークエンティティに、ＭＳＳが電力ダウンされ、第１のネットワークエンティティがアイドルモードでＭＳＳのリストからＭＳＳ情報の登録解除又は削除を要請することを通知する(Ｓ８０)。また、第２のネットワークエンティティは、例えば、ＭＳＳのアイドルモード状態を示すメッセージを介して、ＭＳＳに関する情報を保有したネットワークエンティティに伝送することができる。
【００６８】
同時に、ＭＳＳは、指示された電力ダウンの手順の一部としてロケーション更新の完了をトライする。このようなメカニズムは、第２のネットワークエンティティが、ＭＳＳの正確な状態を更新し、ＭＳＳに対する全ての情報を削除するようにする。さらに、このようなメカニズムは、第２のネットワークエンティティが、電力ダウン時、ＭＳＳに対するアイドルモードページング制御を中止するようにする。
【００６９】
第２のネットワークエンティティは、対応するＭＳＳに電力ダウンロケーション更新が成功的に実行されたと通知した後、ＭＳＳに係る全てのアイドルモード保有情報を配布する(Ｓ９０)。第２のネットワークエンティティが電力ダウン情報を更新できない場合、第２のネットワークエンティティ(例えば、ページング制御機)は、ロケーション更新ポーリング(polling)を用いて利用可能性をチェックする。ＭＳＳの非利用可能性が決定されることができるが、第２のネットワークエンティティは、ＭＳＳが“ページングリトライカウント”をポーリングする第２のネットワークエンティティ更新に応答しないと、全てのアイドルモード保有情報を削除する。
【００７０】
なお、本発明の詳細な説明では具体的な実施形態について説明したが、本発明の要旨から逸脱しない範囲内で多様に変形できる。よって、本発明の範囲は、前述の実施形態に限定されるものではなく、特許請求の範囲の記載及びこれと均等なものに基づいて定められるべきである。
【図面の簡単な説明】
【００７１】
添付された図面は、本出願の一部として統合され、本発明の実施形態及び本発明の原理を助けるために提供される。
【図１】基地局(ＢＳ)からアイドルモード移動局加入者(ＭＳＳ)により受信されたページングメッセージのフォーマットを示す図である。
【図２】本発明の一実施形態による無線アクセスシステムにおけるページングサイクルに基づいてＭＳＳの利用可能性の検証を示す図である。
【図３】本発明の一実施形態による無線アクセスシステムにおけるタイマーを用いたＭＳＳの利用可能性の検証を示す図である。
【図４】本発明の一実施形態によるアイドルモードにおけるＭＳＳのシグナルリング動作を示す図である。
【図１】
2008503977.tif 000003
【図２】
2008503977.tif 000004
【図３】
2008503977.tif 000005
【図４】
2008503977.tif 000006
【国際調査報告】
2008503977.tif 000007
2008503977.tif 000008